(57)【要約】  ピンの円滑な挿入と確実な挟持とができるピン付き装飾体のための止め具を提供する。  装飾体が備えるピン（Ｐ）を出入させるためのピン通孔（１６）を有するハウジング（１２）に、截頭円錐形状のガイド（２２）と、截頭円錐形状の小球保持体部（３５）を有する可動操作体（３２）と、コイルスプリング（５２）と、を収容した装飾体のための止め具において、  ガイド（２２）の内周面（２４）と小球保持体部（３５）の外周面（３７）は１０〜２０度の同一のテーパー角度を有し、小球保持体部（３５）の抱持部に収容された３個の小球体（４６）の一側球面が、ガイド（２２）の内周面（２４）に圧接した際に軸心方向に押し出され、挿入されたピン（Ｐ）と直面する位置にある各小球体（４６）の他側球面を圧接させてその全体でピン（Ｐ）の狭持を可能にする。
2010032707.tif 000002
【特許請求の範囲】
【請求項１】
装飾体が備えるピンを出入させるためのピン通孔を有する一側ケース部と、該ピン通孔との正対位置に設けられた開口部を有する他側ケース部とからなるハウジングに、
小径部及び大径部を有する截頭円錐形状のガイドと、
前記ピン通孔に対面するピン導入孔を通してピンを導入するピン導入路及び前記ガイドの内周面に接する外周面が小径部及び大径部を有する截頭円錐形状の小球保持体部を有する円筒状一側部材の外側に、該一側部材に固定される円筒状支柱部及び該支柱部に連続する摘み片部を有する他側部材を固定した可動操作体と、
該可動操作体を前記ピン通孔方向に押圧付勢するコイルスプリングと、
を収容した装飾体のための止め具において、
前記ガイドは、截頭円錐形状の小径部側を、前記ピン通孔側に位置させてあり、
前記可動操作体の一側部材は、前記小球保持体部の截頭円錐形状の小径部を前記ピン通孔側に位置させてあり、
前記可動操作体の他側部材は、前記支柱部の一端側に前記一側ケース部の開口部を掛止させ、且つ、前記摘み片部を前記他側ケース部からケース外に突出するように配置させてあり、
前記ガイドの截頭円錐形状内周面と前記小球保持体部の截頭円錐形状外周面とは、該ガイドの中心軸および該小球保持体部の中心軸に対し、いずれも１０〜２０度の範囲内にある同一のテーパー角度を有して接触しており、
前記小球保持体部は、相互が対向する位置関係のもとで配置される３個の小球体と、該３個の小球体を収容する抱持部とによって構成されており、
前記ガイドの内周面に前記小球保持体部の外周面側に位置する一側球面が圧接した際に軸心方向に押し出される各小球体が、挿入された前記ピンと直面する位置にある各小球体の他側球面を圧接させてその全体で前記ピンの挟持を可能に前記抱持部に収容されていること
を特徴とするピン付き装飾体のための止め具。
【請求項２】
前記コイルスプリングは、前記ピン通孔側を小径部とすると共に、前記開口部側を大径部とした截頭円錐形状であることを特徴とする請求項１に記載のピン付き装飾体のための止め具。
【請求項３】
前記コイルスプリングの小径部の内径は、可動操作体を構成している支柱部の外径と略同一であり、且つ、前記コイルスプリングの大径部の内径は、可動操作体を構成している支柱部の外径よりも大であることを特徴とする請求項２に記載のピン付き装飾体のための止め具。
【請求項４】
前記コイルスプリングは、いずれか一方の開放端部を他方の開放端部との区別が可能な複数巻きとしたことを特徴とする請求項２又は３に記載のピン付き装飾体のための止め具。
【請求項５】
前記可動操作体は、前記抱持部を含む中心軸方向に前記ガイドの内周面と密接した際に縮径するスリットを有することを特徴とする請求項１〜４のいずれかに記載のピン付き装飾体のための止め具。
【発明の詳細な説明】
【技術分野】
【０００１】
本発明は、装飾体が備えるピンに対し、その着脱を自在に保持するピン付き装飾体のための止め具に関する技術である。
【背景技術】
【０００２】
装飾体が備えるピンを別途用意される止め具を介して着脱自在に保持できるように形成された装身具には、ピアスやネクタイピンやボタンなどがあり、この場合に用いられる止め具には、従来より種々の構造のものが提案されてきている。【０００３】
この場合の止め具には、その基本構造として弾性体でピンを保持するタイプのものと、内蔵させた複数個の小球体によりピンを保持させるタイプのものとに大別することができる。【０００４】
このうち、弾性体でピンを保持するようにしたタイプの止め具としては、ピン付き装身具がピアスであり、径寸法の異なるピンであっても柔軟に対応し得るようにシリコーン樹脂材で形成された下記特許文献１に開示されているピアスキャッチがある。【０００５】
一方、内蔵させた小球体によりピンを挟持するようにして保持させるタイプの止め具には、以下の各特許文献に開示されているように種々の構造のものが既にある。【０００６】
すなわち、下記特許文献２には、環状に遊支された３個の小鋼球（小球体）を遊動保持させた截頭円錐形を呈する鋼球受と、該鋼球受を小鋼球が常に圧接するように押圧付勢された状態のもとで支持するテーパー管状の鋼球ガイドとを備え、鋼球受をその押圧付勢力に抗して移動させることでピンを解放できるようにしたバッジの座金（止め具）が開示されている。【０００７】
下記特許文献３には、截頭円錐形部位に３個の小球体を環状に緩着したチャック体と、各小球体と対面する内側面にテーパー面を有して常に押圧付勢された状態のもとでチャツク体を支持する止金具とを備え、チャック体が備える円錐面にその押圧付勢力に抗して操作部材を押し付けて各小球体とピンとの係合を解除してピンを解放できるようにしたネクタイピン（止め具）が開示されている。【０００８】
下記特許文献４には、先端内部に円錐台状の嵌合溝を備える遊動体と、頭部に設けられた鍔部に小球体を備えて前記嵌合溝内に配置される係合子と、該係合子の終端部に固着される係止基台と、該係止基台と前記鍔部との間に介在させたコイルスプリングとを備え、前記係合子の係合孔に挿入されて小球体により挟持されているピンは、遊動体をその押圧付勢力に抗して引き上げることで解放できるようにした装身体保持具が開示されている。なお、この場合、係合孔と連通する係合孔側口の口径を小球体の直径よりも小さくして、係合孔側に突出する各小球体が、係合孔内へ脱落するのを阻止している。【０００９】
下記特許文献５には、回転を防止できるように複数本のピンを備えるピン体と、各ピンとの対面位置にピン用孔を備えるピン噛合体とを備えて形成され、各ピン用孔に挿入されてテーパー面との位置関係のもとで小球体と係合しているピンは、押圧付勢力に抗して操作握部を引き下げることでその係合を解除してピンを解放できるようにした装身具における回転及び抜落防止装置（止め具）が開示されている。【００１０】
下記特許文献６には、ボタン側に連結されるピンと、該ピンの先端部を係脱可能に嵌合するピン留め具とを備え、テーパー面との位置関係のもとで小球体と係合しているピンは、押圧付勢力に抗して解除レバーを押し込むことによりその係合を解除してピンを解放できるようにした留め機能を有するボタンが開示されている。【００１１】
下記特許文献７には、剛体で形成される３個の小球体と、環状に配置されたこれらの各小球体を弾性変形が可能に保持するボールホルダとを備え、該ボールホルダの中心に位置するピン挿入口にピンを圧入させることで一体化させることができるようにしたピアスキャッチ及びこれを含むピアスが開示されている。【００１２】
下記特許文献８には、環状に配置された３個の金属小球体からなる把持部材と、ゴム状弾性部材からなるホルダと、これら把持部材とホルダとを締め付けるリングとを備え、３個の金属小球体の中心位置に形成される貫通孔にピンを圧入させることで一体化させることができるようにした止め具及ぴその止め具を含む身飾り品が開示されている。【００１３】
一方、下記特許文献９には、本願出願人が提案したピアスなど装身具の止め具が開示されている。該止め具は、内周面にテーパーが形成された案内筒と、該案内筒内に配置された複数の小球体と、これらの各小球体に下面が接触する鍔部を備えて押圧付勢されている押圧部材とを有してなり、ピンを挟持する各小球体は、押圧部材が備える摘みを介してその押圧付勢力に抗して引き上げることでその挟持状態を解除できるように形成されている。
【特許文献１】特開２００６−２６１４３号公報
【特許文献２】実公昭３９−１１８７７号公報
【特許文献３】実公昭３９−３３８０５号公報
【特許文献４】実開昭５８−１０７０１０号公報
【特許文献５】特開平３−２６１４０３号公報
【特許文献６】実用新案登録第３０７０５７６号公報
【特許文献７】特開２０００−５０９１８号公報
【特許文献８】特開２００５−２０４７５２号公報
【特許文献９】特開２００８−３９４号公報
【発明の開示】
【発明が解決しようとする課題】
【００１４】
ところで、上記特許文献２〜９に開示されている技術は、そのいずれもが押圧付勢力のもとで小球体側に生成される挟持力によりピンを挟持しようとするものであり、その解除も人的操作を利用して押圧付勢力に抗して小球体を遊動方向に移動させて挟持力を緩めて行うものであった。【００１５】
しかし、これらの従来技術のうち、例えば装飾体がピアスの場合には、ピン径φが０．６ｍｍ〜１．２ｍｍまでという、約２倍も直径が異なるピンが存在しているにもかかわらず、その対応が不十分なため、各小球体が生成する押圧力によっては、これらの径を異にするピンの別に応じた確実な挟持力を発揮させることができないばかりでなく、その挿入操作や解放操作も必ずしも円滑に行うことができないという問題があった。【００１６】
本発明は、従来技術の上記課題に鑑み、ピンを円滑に挿入したり解放する上で、各小球体が接触し中心軸方向に押圧付勢力を与えるテーパー面のテーパー角度や可動操作体に押圧付勢力を与えるコイルスプリングが大きく作用しているとの本願発明者らの知見に基づき、完成されたのであり、本発明は、これを具現化したピン付き装飾体のための止め具を提供することを目的とする。
【課題を解決するための手段】
【００１７】
本発明は、上記目的を達成すべくなされたものであり、下記構成を有する。
尚、その構成を理解するのを補助するため、本願に添付された図面に表示した番号又は符号を加えてある。
１．  装飾体が備えるピン（Ｐ）を出入させるためのピン通孔１６を有する一側ケース部１３と、該ピン通孔１６との正対位置に設けられた開口部１９を有する他側ケース部１７とからなるハウジング１２に、
小径部２３ａ及び大径部２３ｂを有する截頭円錐形状のガイド２２と、
前記ピン通孔１６に対面するピン導入孔４７ａを通してピン（Ｐ）を導入するピン導入路４７及び前記ガイド２２の内周面２４に接する外周面３７が小径部３６ａ及び大径部３６ｂを有する截頭円錐形状の小球保持体部３５を有する円筒状一側部材３９の外側に、該一側部材３９に固定される円筒状支柱部３３及び該支柱３３に連続する摘み片部３４を有する他側部材４０を固定した可動操作体３５と、
該可動操作体３５を前記ピン通孔１６方向に押圧付勢するコイルスプリング５２と、
を収容した装飾体のための止め具において、
前記ガイド２２は、截頭円錐形状の小径部２３ａ側を、前記ピン通孔１６側に位置させてあり、
前記可動操作体３２の一側部材３９は、前記小球保持体部３５の截頭円錐形状の小径部３６ａを前記ピン通孔１６側に位置させてあり、
前記可動操作体３２の他側部材４０は、前記支柱部３３の一端側に前記一側ケース部１３の開口部１９を掛止させ、且つ、前記摘み片部３４を前記他側ケース部１７からケース外に突出するように配置させてあり、
前記ガイド２２の截頭円錐形状内周面２４と前記小球保持体部３５の截頭円錐形状外周面３７とは、該ガイド２２の中心軸および該小球保持体部３５の中心軸に対し、いずれも１０〜２０度の範囲内にある同一のテーパー角度を有して接触しており、
前記小球保持体部３５は、相互が対向する位置関係のもとで配置される３個の小球体４６と、該３個の小球体４６を収容する抱持部４３とによって構成されており、
前記ガイド２２の内周面２４に前記小球保持体部３５の外周面側３７に位置する一側球面４６ａが圧接した際に軸心方向に押し出される各小球体４６が、挿入された前記ピン（Ｐ）と直面する位置にある各小球体４６の他側球面４６ｂを圧接させてその全体で前記ピン（Ｐ）の挟持を可能に前記抱持部４３に収容されていること
を特徴とするピン付き装飾体のための止め具。【００１８】
２．前記コイルスプリング５２は、前記ピン通孔１６側を小径部５６とすると共に、前記開口部１９側を大径部５４とした截頭円錐形状であることを特徴とする前記１に記載のピン付き装飾体のための止め具。
３．前記コイルスプリング５２の小径部５６の内径は、可動操作体３２を構成している支柱部３３の外径と略同一であり、且つ、前記コイルスプリング５２の大径部５４の内径は、可動操作体３２を構成している支柱部３３の外径よりも大であることを特徴とする前記２に記載のピン付き装飾体のための止め具。
４．前記コイルスプリング５２は、いずれか一方の開放端部を他方の開放端部との区別が可能な複数巻きとしたことを特徴とする前記２又は３に記載のピン付き装飾体のための止め具。
５．前記可動操作体３２は、前記抱持部４３を含む中心軸方向に前記ガイド２２の内周面２４と密接した際に縮径するスリット４５を有することを特徴とする前記１〜４のいずれかに記載のピン付き装飾体のための止め具。
【発明の効果】
【００１９】
請求項１に係る発明によれば、ハウジング内のガイドの内周面と小球保持体部の外周面とは、いずれも１０〜２０度の範囲内にある同一のテーパー角度を付与して形成されているので、急斜面を利用して可動操作部を位置移動させることで、ピンの挿入やその解放を円滑に行うことができるとともに、軸方向への強い内向きの押圧力を各小球体に付与してピンに対する挟持力を高めてやることができる。【００２０】
請求項２に係る発明によれば、ピン通孔側を小径部としたコイルスプリングを用いることにより、小球保持体部に対し、強い内向きの押圧力を付与して、各小球体によるピンに対する挟持力を高めてやることができる。
請求項３に係る発明によれば、小球保持体部に対し、より強い内向きの押圧力を付与して、各小球体によるピンに対する挟持力をさらに高めてやることができる。【００２１】
請求項４に係る発明によれば、コイルスプリングのいずれか一方の開放端部を他方の開放端部との区別が可能な複数巻きとしてあるので、大径部と小径部との位置を確認しながらその組み立て作業を正確、かつ、円滑に行うことができる。【００２２】
請求項５に係る発明によれば、抱持部は、ガイドの内周面とその外周面が密接した際に縮径するスリットを備えているので、各小球体が生成するピンに対する点接触力に加えて、その縮径時に生成されるガイドの内周面との面接触力をも各小球体に作用させることができるので、ピンに対する挟持力をさらに強いものとすることができる。
【図面の簡単な説明】
【００２３】
【図１】本発明の一例につき、ピンを挿入する前の初期状態の内部構造を示す説明図。
【図２】耳たぶ等の支持体側を貫通させたピンを止め具内に挿入して止着させた際の内部構造を示す説明図。
【図３】ピンを止め具側から解放するために可動操作体における摘み片部を矢印方向に引いた際の内部構造を示す説明図。
【図４】止め具の全体構成例を組立加工する前の状態のもとで示す分解斜視図。
【図５】図１〜図３との対応関係のもとで小球保持体部側の構造例をピンとの関係で示す説明図であり、そのうちの（ａ）は部分縦断面図を、（ｂ）は（ａ）におけるＡ−Ａ線矢視方向での横断面構造の説明図をそれぞれ示す。
【図６】図５との対応関係のもとで小球保持体部側の縦軸方向にスリットを設けた他の構造例をピンとの関係で示す説明図であり、そのうちの（ａ）は部分縦断面図を、（ｂ）は（ａ）におけるＢ−Ｂ線矢視方向での横断面構造の説明図をそれぞれ示す。
【符号の説明】
【００２４】
１１  止め具
１２  ハウジング
１３  一側ケース部
１４  開口縁部
１４ａ  開放縁
１５  内溝
１６  ピン通孔
１７  他側ケース部
１８  開口縁部
１８ａ  庇部
１９  開口部
２２  ガイド
２３ａ  小径部
２３ｂ  大径部
２４  内周面
３２  可動操作体
３３  支柱部
３３ａ  一端
３３ｂ  他端
３４  摘み片部
３５  小球保持体部
３６ａ  小径部
３６ｂ  大径部
３７  外周面
３８  段部
３９  一側部材
４０  他側部材
４３  抱持部
４３ａ  開放端部
４４  遊動孔
４４ａ  一側開口
４４ｂ  他側開口
４５  スリット
４６  小球体
４６ａ  一側球面
４６ｂ  他側球面
４７  ピン導入路
４７ａ  ピン導入孔
４７ｂ  他端開口部
５２  コイルスプリング
５３  一端部
５４  大径部
５５  他端部
５６  小径部
（Ｐ）  ピン
（Ｅ）  支持体
【発明を実施するための最良の形態】
【００２５】
図１は、本発明の一例につき、ピンを挿入する前の初期状態の内部構造を示す説明図であり、図２は、耳たぶ等の支持体側を貫通させたピンを止め具内に挿入して止着させた際の内部構造を示す説明図であり、図３は、ピンを止め具側から解放するために可動操作体における摘み片部を矢印方向に引いた際の内部構造を示す説明図である。また、図４は、止め具の全体構成例を組立加工する前の状態のもとで示す分解斜視図である。さらに、図５は、図１〜図３との対応関係のもとで小球保持体部側の構造例をピンとの関係で示す説明図であり、そのうちの（ａ）は部分縦断面図を、（ｂ）は（ａ）におけるＡ−Ａ線矢視方向での横断面構造を示す説明図である。【００２６】
以下、これらの図に基いて本発明の実施例を説明する。
止め具１１の全体は、適宜の金属からなる一側ケース部１３と他側ケース部１７とを合体させて形成されるハウジング１２と、該ハウジング１２の一側ケース１３内の截頭円錐形を呈するガイド２２と、収容した３個の小球体４６の位置を移動させてピン（Ｐ）を挟持したり解放するために用いる可動操作体３２と、該可動操作体３２をピン挟持方向に常に押圧付勢するコイルスプリング５２とで構成されている。【００２７】
これらのうち、ハウジング１２は、他側ケース部１７がその開口縁部１８に備える庇部１８ａを、一側ケース部１３がその開口縁部１４に備える内溝１５内に嵌合させた上でその開放縁１４ａをかしめ止着することで一体的に形成される。但し、一側ケース部１３と他側ケース部１７とを一体化する手段は、これに限定されない。【００２８】
この場合、開口縁部１４の反対側に位置する一側ケース部１３には、適宜の装飾体（図示せず）が備えるピン（Ｐ）を図２に示すように耳たぶ等の支持体（Ｅ）を貫通させた上で出入させるためのピン通孔１６が形成されている。該ピン通孔１６は、径を異にする各ピン（Ｐ）に対しても一定の範囲でその挿通を許容し得る適宜の内径が付与されて形成されている。【００２９】
また、一側ケース部１３と合体させた際にピン通孔１６と正対する位置にて向き合う他側ケース部１７側には、可動操作体３２が備える摘み片部３４をケース外に突出させるための開口部１９が形成されている。【００３０】
さらに、ガイド２２は、そのテーパーによってもたらされる小球体４６の移動距離が該小球体４６の約半径となる座高を有する截頭円錐形状に形成され、小径部２３ａ及び大径部２３ｂを有し、その小径部２３ａをピン通孔１６側に位置させる位置関係でのもとで配置されているので、例えば小球体４６の直径を１．２ｍｍとすると、ピン径φが約０．５ｍｍのピンに対しても確実に挟持できることになり、例えば装飾体がピアスの場合、ピン径φが０．５５ｍｍ〜１．０５ｍｍのピンであっても確実に挟持できる止め具１１としてのピアスキャッチが得られることになる。【００３１】
一方、一側部材３９と他側部材４０との組み合わせからなる可動操作体３２は、ハウジング１２内の軸方向に位置させた円筒状支柱部３３の一端３３ａ側に開口部１９から該開口部１９との掛止を可能にケース外に突出させた摘み片部３４を配置し、該摘み片部３４が開口部１９と掛止した際に、図１に示すようにガイド２２の奥端側に位置する小径部２３ａとしての内周面２４に対し、同様に小径部３６ａであるその外周面３７側が接触する截頭円錐形を呈する小球保持体部３５を支柱部３３の他端３３ｂ側に配置することで形成されている。【００３２】
また、コイルスプリング５２は、その大径部５４からなる一端部５３がハウジング１２の開口部１９の内側に、小径部５６である他端部５５が小球保持体部３５と支柱部３３との境界面に確保される段部３８にそれぞれ当接して、可動操作体３２の全体を常にピン通孔１６方向に押圧付勢している。
前記コイルスプリング５２は、前記ピン通孔１６側を小径部５６とすると共に、前記開口部１９側を大径部５４とした截頭円錐形状である。
特に、本発明の好ましい態様では、図１〜３に示すように、前記コイルスプリング５２の小径部５６の内径は、可動操作体３２を構成している支柱部３３の外径と略同一であり、且つ、前記コイルスプリング５２の大径部５４の内径は、可動操作体３２を構成している支柱部３３の外径よりも大である構成とされる。
更に、本発明の好ましい態様では、前記コイルスプリング５２の大径部５４の外径は、前記他側ケース部１７における下端部の内径と略同一であり、前記コイルスプリング５２の中心軸が、可動操作体３２の中心軸からずれることを防止する構成とされる。
コイルスプリング５２は、いずれか一方の開放端部側、例えば図１に示すように一端部５３を他方の開放端部側である他端部５５との区別が可能とした二重巻き等の複数巻きとしておくことで、その組み立ての際の配置位置の正確さを確保できるようにしておくこともできる。【００３３】
しかも、ガイド２２の内周面２４と小球保持体部３５の外周面３７とは、ガイド２２の中心軸および小球保持体部３５の中心軸に対し、いずれも１０〜２０度の範囲内にある同一のテーパー角度が付与されて形成されている。【００３４】
さらに、小球保持体部３５は、図５（ｂ）に示すように相互が対向する位置関係のもとで環状に配置される３個の小球体４６を各別に抱持部４３側に収容することで形成されている。なお、抱持部４３におけるハウジング１２のピン通孔１６との対向面には、該ピン通孔１６の内径と略同径のピン導入孔４７ａが設けられ、他端開口部４７ｂとの間にピン導入路４７が形成されている。【００３５】
この場合、抱持部４３は、図５（ｂ）からも明らかなように、ガイド２２の内周面２４に、小球体４６の直径よりもその開口径を大きくして形成された各一側開口４４ａから突出したそれぞれの一側球面４６ａが圧接した際に、軸心方向に各小球体４６を、がたつきなく円滑に押し出すことができる遊動孔４４を各別に設けて形成されている。【００３６】
また、該遊動孔４４は、ハウジング１２のピン通孔１６から挿入されたピン（Ｐ）と直面する位置にある各小球体４６の他側球面４６ｂを、これらの小球体４６の直径よりも小径な開口径を有する他側開口４４ｂから各別に突出させることで、３方向から圧接させてその全体でピン（Ｐ）を安定的に挟持することができるようになっている。【００３７】
図６に示すように、可動操作体３２は、小球保持体部側から一側部材３９の中間部分までの縦軸方向にスリットを設けられることが好ましい。【００３８】
図６に示す実施例によれば、可動操作体３２には、抱持部４３を含む適宜長さの軸方向（長さ方向）にガイド２２の奥端側に位置する内周面２４と密接した際に、縮径させて内周面２４との面接触力を作用させることで、ピン（Ｐ）に対する各小球体４６による挟持力をさらに強いものとすることができる複数条、例えば３条のスリット４５が設けられている。なお、スリット４５を設ける場合には、抱持部４３の開放端部４３ａ側の縮径度合いを高めてやるために、図５（ａ）よりもその裾長さを長くして形成するのが望ましい。【００３９】
次に、本発明の作用・効果を図示例に基づいて説明する。図１に示す状態にある止め具１１に装飾体（図示せず）を止着するに際しては、該装飾体が備えるピン（Ｐ）をハウジング１２が備えるピン通孔１６から３個の各小球体４６が対面する中心位置に送り込むことで、可動操作体３２における小球保持体部３５もコイルスプリング５２の付勢力に抗して押し下げられる。【００４０】
このとき、ガイド２２の内周面２４と小球保持体部３５の外周面３７とは、ともに急斜面である１０〜２０度の範囲内にある同一のテーパー角度が付与されているので、３個の小球体４６の当接中心位置がピン（Ｐ）からの押し込み力を受けた際に、可動操作体３２を円滑に移動させながら各小球体４６が外側に押し出されるように遊動させられることで、ピン（Ｐ）を円滑に差し込むことができる。【００４１】
すなわち、各遊動孔４４内の小球体４６のそれぞれは、可動操作体３２と一体となって小球保持体部３５が押し下げられることにより外周方向への動きにゆとりができる。また、各小球体４６の中心位置に送り込まれたピン（Ｐ）は、各小球体４６を押し出しながら所定位置まで円滑に送り込むことができる。【００４２】
ピン（Ｐ）が所定位置にまで送り込まれてその押し込み力が解除されると、小球保持体部３５は、コイルスプリング５２の付勢力により図２に示すようにピン通孔１６方向へと押し戻されるので、各小球体４６の一側球面４６ａがガイド２２の内側面２４に当接して他側球面４６ｂがピン（Ｐ）側に押し出されてピン（Ｐ）圧接し、３点にてピン（Ｐ）を引抜き及び脱落困難に強く挟持するに至る。【００４３】
次に示す表１は、ガイド２２の内周面２４と小球保持体部３５の外周面３７とのテーパー角度を種々変化させ、それぞれのテーパー角度との関係で挿入したピン（Ｐ）に対する３個の小球体４６による挟持状態の良否を、○は指先きによるピン（Ｐ）の引抜きは全くできないので良、△は指先きによるピン（Ｐ）の引抜きが強い力によれば可能であるのでやや不良、×は弱い力によっても指先きによるピン（Ｐ）の引抜きが可能であるので不良として評価して示したものである。【００４４】
【表１】
2010032707.tif 000003
【００４５】
表１によれば、ピン（Ｐ）を確実に挟持するためには、１０〜２０度の範囲にある急なテーパー角度が必要であることが判明する。つまり、１０〜２０度の急なテーパー角度は、各小球体４６に対し中心軸方向への圧接力を生じさせ、その結果、ピン（Ｐ）に対する強力な挟持力を各小球体４６の全体で生成できることが明らかになった。【００４６】
しかも、コイルスプリング５２のピン通孔１６側が小径部５６で、開口部１９側が大径部５４となっている場合には、小球保持体部３５側に対し内向き方向の押圧力を付勢して、各小球体４６に対し強い挟持力を生成させることができる。
特に、前記コイルスプリング５２の小径部５６の内径は、可動操作体３２を構成している支柱部３３の外径と略同一であり、且つ、前記コイルスプリング５２の大径部５４の内径は、可動操作体３２を構成している支柱部３３の外径よりも大である構成とすることにより、各小球体４６に対し、より強い挟持力を生成させることができる。【００４７】
また、コイルスプリング５２のいずれか一方の開放端部を他方の開放端部との区別が可能な複数巻きとしてある場合には、大径部５４と小径部５６との位置を確認しながらその組み立て作業を正確、かつ、円滑に行うことができる。【００４８】
さらに、可動操作体３２が図６に示すようなスリット４５を備えている場合には、ガイド２２に小球保持体部３５側が密接した際にさらに縮径させて各小球体４６の軸心方向への押し出し力を強めてピン（Ｐ）に対する挟持力をより強力なものとすることができるとともに、その縮径時に生成されるガイド２２の内周面２４との面接触力をも作用させることができるので、ピン（Ｐ）に対する挟持力をさらに強いものとすることができる。【００４９】
かくして、装飾体は、ピン（Ｐ）を介して止め具１１側に図２に示すように止着することで、身飾具として快適に使用することができる。しかも、装飾体側は、ピン（Ｐ）を介して止め具１１側に確実に保持させておくことができるので、装飾体側に仮に予期しない外力が加わることがあっても、効果的にその脱落を阻止することができ、また、図５に示すように小球体４６は一側球面４６ａから他側球面４６ｂまで移動することができるので、異なるピン径の場合も確実に保持でき、ピアスキャッチなどの装飾体のための止め具を紛失した際にも柔軟に対処して共用することができる。【００５０】
また、ピン（Ｐ）を介して止め具１１に保持させてある装飾体を取り外す際には、摘み片部３４を指先で把持してコイルスプリング５２の付勢力に抗して可動操作体３２を図３に示すようにハウジング１２側から矢印方向へと引き出す。【００５１】
小球保持体部３５は、可動操作体３２が引き出されると開口部１９側に引き寄せられる結果、ガイド２２の内周面２４と接触していた外周面３７が引き離されることにより、その動きが規制されていた小球体４６も外側へと動くことができるようになり、ピン（Ｐ）に対する挟持状態が解消されるので、図３に示すようにピン（Ｐ）を矢印方向へと容易に引き抜くことができる。【００５２】
径を異にするピン（Ｐ）に対しては、ガイド２２の内周面２４に対する小球体４６の一側球面４６ａの当接位置がテーパーに沿って単に変わるだけで、簡単に対応させて挟持できることになる。【００５３】
以上は、本発明を図示例に基づいて説明したものであり、その具体的な内容は、本発明の要旨を逸脱しない限り、種々の変形を加えることができる。例えば、小球保持体部３５が抱持する小球体４６の数は、図示例では３個となっているが、２個のほか、４個以上であってもよい。また、ガイド２２は、図示例ではハウジング１２とは別体となった筒体状に形成されたものが示されているが、ハウジング１２の内周面を截頭円錐形状として該ハウジング１２と一体に形成することもできる。さらに、ハウジング１２は、２分割構造ではなく、その全体を一体に形成することもできる。さらにまた、コイルスプリング５２は、必要により一端側５３と他端側５５とが同径に形成された円筒状のものを用いることもできる。また、可動操作体３２は、一側部材３９と他側部材４０との組み合わせとすることなく、一体物として形成することもできる。
【産業上の利用可能性】
【００５４】
ピンの円滑な挿入と確実な挟持とができるピン付き装飾体のための止め具として、産業上利用をすることができる。
【図１】
2010032707.tif 000004
【図２】
2010032707.tif 000005
【図３】
2010032707.tif 000006
【図４】
2010032707.tif 000007
【図５】
2010032707.tif 000008
【図６】
2010032707.tif 000009
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
装飾体が備えるピンを出入させるためのピン通孔を有する一側ケース部と、該ピン通孔との正対位置に設けられた開口部を有する他側ケース部とからなるハウジングに、
小径部及び大径部を有する截頭円錐形状のガイドと、
前記ピン通孔に対面するピン導入孔を通してピンを導入するピン導入路及び前記ガイドの内周面に接する外周面が小径部及び大径部を有する截頭円錐形状の小球保持体部を有する円筒状一側部材の外側に、該一側部材に固定される円筒状支柱部及び該支柱部に連続する摘み片部を有する他側部材を固定した可動操作体と、
該可動操作体を前記ピン通孔方向に押圧付勢するコイルスプリングと、
を収容した装飾体のための止め具において、
前記ガイドは、截頭円錐形状の小径部側を、前記ピン通孔側に位置させてあり、
前記可動操作体の一側部材は、前記小球保持体部の截頭円錐形状の小径部を前記ピン通孔側に位置させてあり、
前記可動操作体の他側部材は、前記支柱部の一端側に前記他側ケース部の開口部を掛止させ、且つ、前記摘み片部を前記他側ケース部からケース外に突出するように配置させてあり、
前記ガイドの截頭円錐形状内周面と前記小球保持体部の截頭円錐形状外周面とは、該ガイドの中心軸および該小球保持体部の中心軸に対し、いずれも１０〜２０度の範囲内にある同一のテーパー角度を有して接触しており、
前記小球保持体部は、相互が対向する位置関係のもとで配置される３個の小球体と、該３個の小球体を収容する抱持部とによって構成されており、
前記ガイドの内周面に前記小球保持体部の外周面側に位置する一側球面が圧接した際に軸心方向に押し出される各小球体が、挿入された前記ピンと直面する位置にある各小球体の他側球面を圧接させてその全体で前記ピンの挟持を可能に前記抱持部に収容されていること
を特徴とするピン付き装飾体のための止め具。
【請求項２】
前記コイルスプリングは、前記ピン通孔側を小径部とすると共に、前記開口部側を大径部とした截頭円錐形状であることを特徴とする請求項１に記載のピン付き装飾体のための止め具。
【請求項３】
前記コイルスプリングの小径部の内径は、可動操作体を構成している支柱部の外径と略同一であり、且つ、前記コイルスプリングの大径部の内径は、可動操作体を構成している支柱部の外径よりも大であることを特徴とする請求項２に記載のピン付き装飾体のための止め具。
【請求項４】
前記コイルスプリングは、いずれか一方の開放端部を他方の開放端部との区別が可能な複数巻きとしたことを特徴とする請求項２又は３に記載のピン付き装飾体のための止め具。
【請求項５】
前記可動操作体は、前記抱持部を含む中心軸方向に前記ガイドの内周面と密接した際に縮径するスリットを有することを特徴とする請求項１〜４のいずれかに記載のピン付き装飾体のための止め具。
【国際調査報告】
2010032707.tif 000010
2010032707.tif 000011